(57)【要約】      （修正有）【課題】離れた位置から安全に開放することができる天井点検口及び解除具を提供する。【解決手段】外枠１０と、外枠１０の内側で外枠連結辺１４と内枠連結辺３１とが回転自在に連結されることにより旋回可能である内枠３０とを備えている。内枠３０はその内周縁で天井ボード材を保持し、ロック装置３８を有することで閉じた状態においてロック状態に、開いた状態において解除状態となる。ロック装置３８はこれを解除し得る突出操作部を有している。突出操作部は内枠３０が閉じた状態において、離れた位置からロック装置３８を操作できるように室内側に突出して設けられている。解除状態となって内枠３０が開いたときに、その開く方向と反対方向のバネ力を作用させる安全バネ５０が、外枠１０と内枠３０との間に設けられている。【選択図】図２
0003202467.tif 000002
【実用新案登録請求の範囲】
【請求項１】
天井の開口部に設けられた外枠と、この外枠の内側に設けられて上下方向に旋回可能であることにより開閉可能な内枠と、を備える天井点検口であって、
前記内枠は、ロック装置を有し、
前記ロック装置は、ロック状態において前記内枠を閉じた状態に保持可能であるとともに、解除状態で前記内枠の開閉動作を許容するものであり、
前記ロック装置は、このロック装置を解除状態とし得る操作部を有し、
前記操作部は、前記内枠が閉じた状態において、離れた位置から前記ロック装置を操作できるように室内側に突出して設けられ、
前記外枠と前記内枠との間に、内枠が自重によって開く方向と反対方向のバネ力を作用させるバネ部材が設けられた
ことを特徴とする天井点検口。
【請求項２】
外枠は、バネ部材の一端を取り付け得る第一取付孔を有し、
内枠は、前記バネ部材の他端を取り付け得る第二取付孔を有し、
前記第一取付孔または前記第二取付孔のうち少なくとも一方は、それぞれ異なった場所に複数形成される
ことを特徴とする請求項１に記載の天井点検口。
【請求項３】
請求項１または２に記載の天井点検口のロック装置を床面上の人の力により操作して解除状態とし得る棒状の解除具であって、
前記ロック装置の操作部に力を作用させてこのロック装置を解除状態とし得る作用部を有する
ことを特徴とする解除具。
【請求項４】
ロック装置を解除状態としたときに自重によって開く内枠を受け止め得る受止部を有する
ことを特徴とする請求項３に記載の解除具。
【考案の詳細な説明】
【技術分野】
【０００１】
本考案は、天井点検口に関するものである。
【背景技術】
【０００２】
近年の地震被害とこれから発生が想定される地震被害とにより、建物の耐震基準が高くなってきている。この基準が高くなったことを受けて、床からの高さが６メートル超となるような多数の人が集まるホールの天井など、脱落によって重大な危害を生ずるおそれのある天井（以下、特定天井という）について、天井裏を目視することによる定期的なメンテナンスが義務付けられるようになった。従来、天井裏を点検するに際しては、天井に設けられた天井点検口を開放することにより行っており、このような天井点検口として、たとえば、特許文献１に記載されたようなものがある。
【先行技術文献】
【特許文献】
【０００３】
【特許文献１】特開平１１−３１１０１７号公報
【考案の概要】
【考案が解決しようとする課題】
【０００４】
特許文献１に記載された天井点検口は、平面視四角形状の外枠と、内周縁で天井ボード材を保持する平面視四角形状の内枠とが、内枠の一辺に取り付けられたヒンジに対して外枠の一辺が引っ掛けられることにより、回転自在に連結されているものである。内枠は、この連結する辺を支点にして旋回することができ、内枠が旋回降下したときに天井点検口が開放状態となる。内枠におけるヒンジが取り付けられる辺と向かい合う辺には、ロック装置が設けられている。内枠が旋回上昇して外枠と重なり合ったときにはこのロック装置がかかり、内枠は外枠に重なった状態で固定され、天井点検口は閉鎖状態となる。ロック装置は、板バネからなるもので、その上部に内枠と結合する結合部を有し、これより下方の中間部に撓み部を有し、その下部に外枠の内周縁に引っ掛かって内枠を支える引掛部を有し、その下端には前記撓み部を撓ませてロック装置を解除し得る操作板部を有している。この操作板部は、その広い面を、天井点検口が閉鎖状態において天井面と平行となるように構成されている。ロック装置を解除するには、操作板部を手指で押すことにより天井面に沿ってスライドさせる。そうすると、撓み部が撓んで板バネが縮まり、これにより引掛部が外枠の内周縁から外れてロック装置が解除される。ロック装置が解除されれば、内枠はその自重により旋回降下して天井点検口が開放される。
【０００５】
特許文献１に記載された天井点検口は、ロック装置を解除するのに、人の手指によって、操作板部を天井面に沿ってスライドさせて行う必要がある。そのため、床からの高さが６メートル超となる特定天井にこのような天井点検口を設けた場合は、ロック装置の解除に際して、点検者の手指が届くように特定天井に達するような足場を組まなければならない。しかし、足場を組んでの作業は、効率が悪いという問題がある。また、ロック装置が解除されると内枠はその自重に従って勢いよく開き、内枠が開ききった際には天井点検口の負担となる。内枠が勢いよく開くのを防止するには、天井点検口を開放する際に内枠を手で支えながらロック装置を解除すればよいが、この場合でも足場を組むことが避けられないうえ、高所において複雑な作業を行うのは危険である。
【０００６】
そこで本考案は、床から高い位置の天井に設けられた点検口を、床面上からの作業によって安全に開放することができるようにすることを目的とする。
【課題を解決するための手段】
【０００７】
この目的を達成するため本考案は、
天井の開口部に設けられた外枠と、この外枠の内側に設けられて上下方向に旋回可能であることにより開閉可能な内枠と、を備える天井点検口であって、
前記内枠は、ロック装置を有し、
前記ロック装置は、ロック状態において前記内枠を閉じた状態に保持可能であるとともに、解除状態で前記内枠の開閉動作を許容するものであり、
前記ロック装置は、このロック装置を解除状態とし得る操作部を有し、
前記操作部は、前記内枠が閉じた状態において、離れた位置から前記ロック装置を操作できるように室内側に突出して設けられ、
前記外枠と前記内枠との間に、内枠が自重によって開く方向と反対方向のバネ力を作用させるバネ部材が設けられた
ことを特徴としている。
【考案の効果】
【０００８】
本考案によれば、天井点検口のロック装置を解除するための操作部が室内側に突出して設けられており、床面上から操作部を狙ってロック装置を解除することができるので、足場を組んでの作業を要せず、効率良く天井点検口を開放することができる。また、内枠が開く方向と反対方向にバネ力を作用させるようにバネ部材が設けられているので、内枠が勢いよく開くのを防止して、天井点検口に負担をかけることなく安全に作業を行うことができる。
【０００９】
本考案に係る天井点検口の構成として、外枠は、バネ部材の一端を取り付け得る第一取付孔を有し、内枠は、前記バネ部材の他端を取り付け得る第二取付孔を有し、前記第一取付孔または前記第二取付孔のうち少なくとも一方は、それぞれ異なった場所に複数形成されていることが好ましい。これによれば、バネ部材の端部の取付位置を、異なった場所に配置された複数の取付孔から選ぶことができるので、内枠が開いた際におけるバネの伸び長さを調整することができる。そのため、内枠の重さに応じてバネ力を調整することができる。したがって、内枠が重い場合には、バネ力を強くして、内枠が勢いよく開くのを防止して、天井点検口に負担をかけることなく安全に作業を行うことができる。
【００１０】
また、本考案に係る天井点検口は、天井点検口のロック装置を床面上の人の力により操作して解除状態とし得る棒状の解除具を備え、この解除具は、前記ロック装置の操作部に力を作用させてこのロック装置を解除状態とし得る作用部を有するものであるのが好ましい。これによれば、天井点検口のロック装置を人が直接手指によって解除することを要せず、この解除具を用いてロック装置を解除することができる。したがって、特定天井に設けられた天井点検口に対して、特定天井に達する足場を組むことなく、床上からロック装置を解除することができるので、効率良く作業することができる。
【００１１】
また、前記天井点検口の解除具は、天井点検口のロック装置を解除状態としたときに自重によって開く内枠を受け止め得る受止部を有するものであることが好ましい。これによれば、天井点検口のロック装置を解除状態としたときに開く内枠を、解除具によって受け止めることができるので、内枠が勢いよく開くのを防止して、より安全に作業をすることができる。
【図面の簡単な説明】
【００１２】
【図１】本考案の実施の形態に係る天井点検口の使用状態を示す概略図である。
【図２】同天井点検口を下方から見た立体図である。
【図３】同天井点検口における、バネ取付金具の取付位置を示すものであり、（ａ）はその正面図を示し、（ｂ）はその断面図を示す。
【図４】同天井点検口の閉鎖状態における、ロック装置の断面図である。
【図５】同天井点検口に用いる解除具を示すものであり、（ａ）はその正面図を示し、（ｂ）はその平面図を示す。
【図６】安全バネの取付手順を示す図である。
【図７】ロック装置の解除時を示す断面図である。
【図８】内枠が開いたときの状態を示す図であり、（ａ）は解除具による支えがない状態を示し、（ｂ）は解除具によって内枠を支えている状態を示す。
【図９】上向きの回転モーメントが最小となる安全バネの取付位置を示す図である。
【図１０】解除具を用いて天井点検口を閉鎖する様子を示す図である。
【考案を実施するための形態】
【００１３】
本考案の実施の形態に係る天井点検口１について図面に基づいて説明する。
【００１４】
図１および図２に示すように、天井点検口１は、床面からの高さが６メートル超となるような吊り天井である特定天井９９に設けられる。吊り天井は、たとえば、野縁９７と呼ばれるＣ字断面のＣ型鋼を複数並べて配置して、その上方から、同じくＣ型鋼である野縁受９６を前記野縁９７に対して直交して複数配置することで天井の骨格を格子状に形成して、この野縁受９６の複数個所を吊りボルト９４で吊り下げるものである。そして、この天井骨格の室内側に天井仕上材９８を取り付けることで吊り天井が完成する。天井点検口１は、吊り金具９３を介して、別途設けられる取付用野縁受９５に固定されることで、吊り天井に設けられる。
【００１５】
天井点検口１は、平面視四角形状の外枠１０と、内周縁で天井ボード材Ｂを支持する内枠３０とを備えるものである。なお、説明の便宜のため、天井ボード材Ｂは図１および２において図示を省略している。この天井ボード材Ｂが内枠３０の内周縁で保持されて内枠３０の一部を構成することで、内枠３０と外枠１０とが重なった状態のときに天井点検口１を閉鎖状態とするように構成されている。
【００１６】
外枠１０は、吊り金具９３を介して取付用野縁受９５に固定されて、天井仕上材９８の底面と略面一となるように設けられる。内枠３０は、その一辺である内枠連結辺３１にヒンジ（図示省略）が取り付けられ、このヒンジに対して外枠１０の一辺である外枠連結辺１４が引っ掛けられることにより、外枠１０と回転自在に連結している。これにより内枠３０は、内枠連結辺３１を支点に旋回が可能となっている。内枠３０には、内枠連結辺３１と向かい合う辺である内枠ロック辺３２にロック装置３８が設けられ、このロック装置３８により、内枠３０と外枠１０とが重なった状態、すなわち天井点検口１の閉鎖状態を維持することができる。このロック装置３８が解除されれば、内枠３０が内枠連結辺３１を支点に旋回降下して、天井点検口１が開放される。この開放時には、内枠３０はその自重に従って勢いよく開くので、これを防止するため、天井点検口１には安全バネ５０が設けられる。安全バネ５０は、その一端が孔付きブラケット３６を介して内枠３０に取り付けられ、その他端がバネ取付金具２２を介して外枠１０に取り付けられることで、内枠３０が開く方向と反対方向のバネ力を作用させるように設けられている。これにより、内枠３０が勢いよく開くのを防止して、天井点検口１に負担をかけることなく安全に作業を行うことができる。
【００１７】
天井点検口１の開放は、解除具６０を用いて床上からロック装置３８を解除することにより行うことができる。解除具６０は、床上から天井９９に届く長さの棒材であり、ロック装置３８を解除できるとともに解除により旋回降下する内枠３０を受け止め得るように構成されている。天井点検口１には前述した安全バネ５０が設けられているので、これに加えて解除具６０を用いることで、内枠３０が勢いよく開くのをより一層防止することができ、より一層安全に作業を行うことができる。
【００１８】
天井点検口１を開放すれば、これに、長棒に取り付けたカメラ等の撮影装置を挿入して天井裏を撮影する。このため、その撮影画像から天井裏の異常の有無を確認することができるので、足場を組んで人が直接に天井裏を目視する必要がない。撮影が終われば、解除具６０を用いて内枠３０を持ち上げてこれらを閉じ、天井点検口１を閉鎖状態とすることができる。以下、各部材の構成について詳細に説明する。
【００１９】
図２に示すように、外枠１０は、アルミ製の形材を４つ連結させて形成される平面視四角形状の枠体である。形材は、その両端部が平面視４５°に形成されるとともに、これら端部が、同じく４５°に形成された隣り合う形材の端部と突き合わされて連結されることで、一角が９０°の四角形状の外枠１０を形成している。以下、枠体（外枠１０および内枠３０）の中心方向を内方向とし、その反対を外方向として説明する。
【００２０】
外枠１０の外周縁の下端には、外方向に突出するフランジである見切り部１５が形成されている。この見切り部１５が天井仕上材９８の底面と接触して、天井点検口１と天井仕上材９８との隙間を覆って見えないようにしている。
【００２１】
外枠１０の内周縁の下端には、内方向に突出するフランジである内枠支持部１６が形成されている。図４に特に示すように、この内枠支持部１６に、内枠３０に設けられるロック装置３８が引っ掛かることで、内枠支持部１６が内枠３０を支持している。
【００２２】
外枠１０の上端には、吊り金具９３を取り付けるための吊り下げスライド溝１７が形成されている。図４に示すように、この吊り下げスライド溝１７は、上向きに開口を有するＣ字型に形成されるもので、その内側に内側壁１８を有し、その外側に外側壁１９を有しており、線材をＬ字型に加工した吊り金具９３をスライドさせて取り付けることができる。吊り金具９３が吊り下げスライド溝１７に取り付けられると、吊り金具９３に形成された突起である抜け止め９２が吊り下げスライド溝１７の上端に引っ掛かって上方に抜けないようになっている。これにより、吊り金具９３によって天井点検口１の固定が可能となっている。
【００２３】
また、吊り下げスライド溝１７は、バネ取付金具２２の取り付けにも用いられる。図３に特に示すように、内側壁１８には、案内切り欠き２０が形成されている。この案内切り欠き２０によって、バネ取付金具２２を内方向から吊り下げスライド溝１７に案内することができる。内側壁１８および外側壁１９のそれぞれには、これら内側壁１８および外側壁１９の一部を折り曲げて、溝側に突き出して形成されるストッパ部２１が設けられている。このストッパ部２１は、後述するように、バネ取付金具２２が安全バネ５０の引張力を受けたときにストッパ部２１に接触することで、バネ取付金具２２の必要以上のスライドを防止することができる。
【００２４】
バネ取付金具２２は、安全バネ５０の一端を外枠１０に取り付けるための取付部材である。図３に示すように、バネ取付金具２２は、複数の第一バネ力調整孔２４（取付孔の一例）が形成された立板部２３を有している。複数の第一バネ力調整孔２４は、上下方向に並んで２列形成され、かつ、列ごとに互い違いとなっている。この第一バネ力調整孔２４と後述する第二バネ力調整孔３７（取付孔の一例）とによって安全バネ５０のバネ力を調整することができる。バネ力調整の詳細については後述する。また、バネ取付金具２２は、前記立板部２３の下方にスライド結合部２５を有している。スライド結合部２５は、長板材の両端付近を折り曲げることによりそれら両端のそれぞれに脚部２６を形成しており、正面視冠状となっている。このスライド結合部２５を吊り下げスライド溝１７にスライドさせて嵌めることで、バネ取付金具２２が外枠１０に取り付けられる。また、スライド結合部２５における脚部２６は、ストッパ受面２７をスライド方向に向けて嵌め込まれるもので、このストッパ受面２７がストッパ部２１と接触する。このストッパ受面２７がストッパ部２１に接触することにより、バネ取付金具２２が必要以上にスライドするのを防止することができる。
【００２５】
図２に示すように、内枠３０は、アルミ製の形材を４つ連結させて形成される平面視四角形状の枠体からなる。
【００２６】
内枠３０の内周縁の下端には、図４に特に示すように、内方向に突出するフランジであるボード支持部３４が形成されている。また、内枠連結辺３１に隣り合う両辺である内枠側辺３３，３３におけるボード支持部３４の上方には、Ｌ字型断面であるボード抜け止め材３５が内方向に突出して設けられている。前記ボード支持部３４により天井ボード材Ｂを支持するとともに、前記ボード抜け止め材に３５より天井ボード材Ｂが上方へ抜けるのを防止することで、内枠３０はその内側において、天井ボード材Ｂを保持することができる。
【００２７】
ボード抜け止め材３５には、複数の第二バネ力調整孔３７を有する孔付きブラケット３６が設けられている。孔付きブラケット３６は、これが取り付けられる内枠側辺３３，３３の長さ方向に長い部材である。第二バネ力調整孔３７は、孔付きブラケット３６の長さ方向に所定間隔を置いて複数形成されている。前述したように、安全バネ５０の一端はバネ取付金具２２が有する第一バネ力調整孔２４に取り付けられ、安全バネ５０の他端はこの第二バネ力調整孔３７に取り付けられる。これにより、内枠３０が開く方向と反対方向のバネ力を作用させることができ、内枠３０が勢いよく開くのを防止することができる。
【００２８】
本実施形態においては、安全バネ５０として、引張コイルバネを用いる。引張コイルバネを用いることで、内枠３０が開いたときに安全バネ５０が伸びた状態となり、内枠３０が開く方向と反対方向の引張力が作用する。
【００２９】
このように、安全バネ５０は引張力を作用させるので、バネ取付金具２２と孔付きブラケット３６とを引き寄せるような力がかかるが、バネ取付金具２２がストッパ部２１に接触することによって、バネ取付金具２２が安全バネ５０に引っ張られて必要以上にスライドすることがない。
【００３０】
図２に示すように、内枠連結辺３１に向かい合う辺である内枠ロック辺３２の外側面には、この内枠ロック辺３２の長さ方向の中央にロック装置３８が設けられている。ロック装置３８は、板バネからなるものであり、内枠３０が外枠１０と重なった時に、この重なった状態を維持して天井点検口１の閉鎖状態を維持するためのものである。図４は、天井点検口１の閉鎖状態における、ロック装置３８の断面を示すものである。この図４に示すように、ロック装置３８は、内枠３０の外側面と接してビス止めされる接合部３９と、この接合部３９の上端から連続して外方向に真っ直ぐ折り曲げて形成される中間部４０と、この中間部４０に連続して下方斜めに折り曲げて形成される撓み部４１と、この撓み部４１に連続して内方向に真っ直ぐ折り曲げて形成されるとともに外枠１０の内枠支持部１６に引っ掛かり得る引掛部４２と、この引掛部４２から連続して設けられるとともに内枠３０の下端よりも室内側である下方に突き出して形成される突出操作部４３と、を有している。突出操作部４３の下部には受力部４４が設けられている。ロック装置３８がロック状態のときに、この受力部４４に、前記撓み部４１が撓む方向の力を作用させることで、ロック装置３８を解除することができる。
【００３１】
ロック装置３８は、前記接合部３９により内枠３０に取り付けられるとともに、前記引掛部４２が外枠１０の内枠支持部１６に引っ掛かることで、内枠３０が外枠１０と重なった状態、すなわち天井点検口１の閉鎖状態を維持することができる。
【００３２】
前記のようなロック状態は、突出操作部４３を内方向に押すことにより解除することができる。突出操作部４３を内方向に押すと、撓み部４１が内方向に撓んで、引掛部４２が内枠支持部１６から外れてロック装置３８のロック状態が解除される。この突出操作部４３が内枠３０よりも下方に突出していることで、天井点検口１が設けられる特定天井９９の６メートル下の床上からこの突出操作部４３を狙って、解除具６０を当てて押すことにより解除することができる。なお、突出操作部４３は、押すことにより操作されるものでなくてもよく、撓み部４１が撓む方向に力を作用させて操作されるものであればよい。
【００３３】
突出操作部４３は、床上から解除具６０を用いて狙える程度に突出していればよい。突出し過ぎると室内側からの景観を損ね好ましくない。逆に、突出が小さいと解除具６０によって狙うのが困難となり好ましくない。具体的には、突出する長さが１０ｍｍから３０ｍｍであり、その幅の長さが２５ｍｍから３０ｍｍであることが好ましい。この長さによれば、景観を保てるうえ解除具６０によって狙いやすい。
【００３４】
解除具６０は、床上から特定天井９９に達する長さに形成された棒材であり、このような長さであっても撓むことのないように剛性を有する。解除具６０を使用する者は、解除具６０の基端のハンドル部６１を持って、解除具６０の先端の解除部６２を操作して、ロック装置３８を解除することができる。図５は、解除具６０の解除部６２を示すものであり、（ａ）はその側面図を示し、（ｂ）はその平面図を示す。図５（ａ）および（ｂ）に示すように、解除部６２は、底面が絞られた略四角錐台となっている。解除部６２の一側面は、突出操作部４３の受力部４４を押すための解除押部６３（作用部の一例）であり、解除具６０の長さ方向に真っ直ぐに形成されている。この解除押部６３で突出操作部４３を押すことにより、ロック装置３８を解除することができる。
【００３５】
解除押部６３に隣り合う両側面のそれぞれは、その上端が庇部６４となっている。これら庇部６４には、その裏側、すなわち解除具６０の基端側に、前記解除押部６３側に突出した一対の受爪６５（受止部の一例）が設けられる。
【００３６】
受爪６５は、側面視略Ｌ字状に形成されており、その基端部６６が前記庇部６４の下裏側において接合され、その先端が解除押部６３側に突出した構成となっている。さらに先端には、解除具６０のハンドル部の方向に直角に折り曲げられるとともにその角部が滑らかにされた案内部６７が形成されている。この受爪６５により、ロック装置３８が解除されて旋回降下する内枠３０を受け止めることができる。
【００３７】
また、解除具６０は、ロック装置３８をロックする場合、すなわち天井点検口１を閉鎖状態とする場合にも用いることができる。解除部６２における両方の庇部６４それぞれの表側（上面側）に、一対のロック押部６８が設けられており、このロック押部６８と内枠１０（天井ボード材Ｂ）の底面とを接触させて内枠３０を持ち上げて、内枠３０と外枠１０とを重ね合わせることにより天井点検口１を閉鎖状態にする。
【００３８】
このとき、内枠１０（天井ボード材Ｂ）がロック押部６８によって傷つかないために、ロック押部６８はゴムなどの緩衝性のある部材から構成されているのが好ましい。
【００３９】
また、図５に示すように、解除部６２は内部が空洞の箱状であるのが好ましい。箱状であると、空洞である分、材料費を節約することができるとともに、解除部６２を軽量化することができ、解除具６０の操作性が向上する。
【００４０】
また、解除押部６３は、高摩擦体であるのが好ましい。高摩擦体であると、ロック装置３８を解除するため突出操作部４３の受力部４４に解除押部６３を当てたとき、滑ることなく受力部４４を押すことができる。また、同様の理由から、この受力部４４も高摩擦体であるのが好ましい。
【００４１】
次に、天井点検口１の施工について説明する。
【００４２】
まず、外枠１０を天井の開口部に嵌めるとともに、吊り金具９３を介して取付用野縁受９５に固定する。
【００４３】
内枠連結辺３１に取り付けられたヒンジを外枠１０に引っ掛けることで、内枠３０と外枠１０とを回転自在に連結する。これにより内枠３０は、内枠連結辺３１を支点に旋回が可能となる。内枠３０を旋回させて、内枠３０と外枠１０とを重ね合わせる。このとき、内枠３０に設けられたロック装置３８の撓み部４１を外枠１０に設けられた内枠支持部１６に接触させて、撓み部４１を撓ませながらさらに内枠３０を外枠１０と重なる方向に旋回させる。内枠３０を上昇させていくと、撓み部４１が内枠支持部１６から外れて、撓み部４１は撓んだ状態から元の状態に戻る。これにより、ロック装置３８の引掛部４２が内枠支持部１６に引っ掛かってロックが完了する。
【００４４】
次に、図６に示すように、外枠１０の吊り下げスライド溝１７にバネ取付金具２２をスライドさせて嵌めこむ。図６（ａ）に示すように、バネ取付金具２２を案内切り欠き２０から吊り下げスライド溝１７に案内する。図６（ｂ）に示すように、バネ取付金具２２のストッパ受面２７がストッパ部２１に接触するまで、バネ取付金具２２を吊り下げスライド溝１７でスライドさせる。図６（ｃ）に示すように、ストッパ受面２７がストッパ部２１に接触した後は、バネ取付金具２２が有する複数の第一バネ力調整孔２４のうちからいずれかを選択して、その選択した第一バネ力調整孔２４に安全バネ５０の一端を取り付ける。また、孔付きブラケット３６が有する複数の第二バネ力調整孔３７のうちからいずれかを選択して、その選択した第二バネ力調整孔３７に安全バネ５０の他端を取り付ける。このとき、安全バネ５０の引張力が、バネ取付金具２２と孔付きブラケット３６とを引き寄せるように作用するが、バネ取付金具２２はストッパ部２１と接触することにより、その引張り方向に、必要以上にスライドすることはない。
【００４５】
次に天井点検口１の使用について説明する。
【００４６】
天井点検口１は、通常は閉鎖状態であり、天井裏のメンテナンス時に開放される。開放には、解除具６０を用いてロック装置３８を解除することにより行う。
【００４７】
図１に示すように床上から解除具６０を操作して、図７に示すように床上から、解除具６０の解除押部６３をロック装置３８の突出操作部４３に当ててこれを内方向に押し込む。これにより、ロック装置３８の撓み部４１が内方向に撓んで引掛部４２が内枠支持部１６から外れる。引掛部４２が内枠支持部１６から外れることで、内枠３０はその自重により内枠連結辺３１を支点に旋回降下する。内枠３０が旋回降下することで天井点検口１が開放する。なお、図７において、外方向から解除具６０を近づける際に受爪６５が見切り部１５に接触した場合でも、滑らかな角部を有する案内部６７によって見切り部１５を傷つけることなく、解除押部６３を突出操作部４３に案内することができる。
【００４８】
天井点検口１の開放時は、図８（ａ）に示すように、外枠１０と内枠３０とに設けられた安全バネ５０が伸びて、内枠３０の開き方向と反対方向の引張力を作用させて、内枠３０が勢いよく開くのを防止する。
【００４９】
また、図８（ｂ）に示すように、旋回降下する内枠３０を解除具６０の先端部に設けられた受爪６５によって受け止めることができる。これにより、前述した安全バネ５０が奏する効果と相まって内枠３０が勢いよく開くのをより一層防止することができる。
【００５０】
ここで、天井ボード材Ｂは、天井点検口１の設置個所に応じて異なるものを採用することができる。天井点検口１は、異なる重さの天井ボード材Ｂを設けた場合であっても、それぞれの場合に対応して、前述した安全バネ５０のバネ力を調整することができる。すなわち、複数の第一バネ力調整孔２４と複数の第二バネ力調整孔２４とのうちから任意に調整孔を選択して安全バネ５０の取付位置を変えることで、バネ力を調整することができる。以下、詳細に説明する。
【００５１】
内枠３０が開くときの下向きの回転モーメント（図９における時計まわりの回転モーメント）は、内枠３０を構成する天井ボード材Ｂの重さによって変動する。天井ボード材Ｂが軽いほど下向きの回転モーメントは小さくなり、重いほど下向きの回転モーメントは大きくなる。
【００５２】
安全バネ５０の引張力によって内枠３０に及ぼす上向きの回転モーメント（図９における反時計まわりの回転モーメント）は、安全バネ５０の取付位置によって変動する（その他、バネ定数等によっても変動する）。孔付きブラケット３０における安全バネ５０の一端の取付位置が回転の支点（内枠連結辺３１）に近いほど上向きの回転モーメントは小さくなり、遠いほど上向きの回転モーメントは大きくなる。また、バネ取付金具２２における安全バネ５０の他端の取付位置が下方であるほど安全バネ５０の伸びの長さが短くなって上向きの回転モーメントが小さくなり、上方であるほど安全バネ５０の伸びの長さが長くなって上向きの回転モーメントが大きくなる。
【００５３】
たとえば、天井ボード材Ｂが重い場合は、下向きの回転モーメントが大きい状態であるので、安全バネ５０の一端を回転の支点（内枠連結辺３１）から遠くに位置する第二バネ力調整孔３７に取り付ける。こうすることで、前記下向きの回転モーメントの大きさに対して上向きの回転モーメントを大きくすることができる。さらに、安全バネ５０の他端を複数の第一バネ力調整孔２４から選択することで上向きの回転モーメントの大きさを微調整する。内枠３０の開きが若干速い場合には、上向きの回転モーメントを若干大きくするために、安全バネ５０の他端を上方に位置する第一バネ力調整孔２４に取り付ける。こうすることで、回転モーメントを微調整し、内枠３０をゆっくり開かせることができる。
【００５４】
たとえば、図９では、上向きの回転モーメントが最も小さくなるような安全バネ５０の取付位置を示している。天井ボード材Ｂが軽い場合には、図９に示すように、安全バネ５０の一端を回転の支点（内枠連結辺３１）から最も近くに位置する第二バネ力調整孔３７に取り付ける。また、安全バネ５０の他端をバネ取付金具２２の最も下方に位置する第一バネ力調整孔２４に取り付ける。こうすることで、安全バネ５０が及ぼす上向きの回転モーメントを最も小さくすることができる。なお、どのような取付位置であっても、上向きの回転モーメントは、下向きの回転モーメントよりも小さくなくてはならない。上向きの回転モーメントが下向きの回転モーメントよりも大きいと、ロック装置３８が解除状態であっても内枠３０がその自重により開くことができないからである。また、回転モーメントは、内枠３０の開き角が７０°から９０°の位置で釣り合うように調整するのが望ましい。開き角が前記のような範囲であると、開放した天井点検口に撮影具を挿入するのに内枠３０が妨げとなることがなく、また、解除具６０を用いて内枠３０を持ち上げることによる天井点検口の閉鎖作業を容易にすることができる。
【００５５】
天井点検口１が開放した後は、開放した点検口に、長棒に取り付けたカメラ等の撮影装置を挿入して天井裏を撮影する。この撮影による天井裏の撮影画像により、天井裏の異常の有無を確認することができる。
【００５６】
図１０に示すように、天井点検口１は、開放時に使用した解除具６０を用いて閉鎖することができる。すなわち、解除具６０の先端部に設けられたロック押部６８を天井ボード材Ｂの底面に接触させて天井ボード材Ｂを内枠３０ごと持ち上げて、内枠３０と外枠１０とを重ね合わせる。内枠３０と外枠１０とを重ね合わせたときに、ロック装置３８の引掛部４２が外枠１０の内枠支持部１６に引っ掛かり、ロック装置３８がロックされる。したがって、天井点検口１が閉鎖状態となる。このとき、ロック押部６８がゴム等の緩衝性のある部材からできている場合には、天井ボード材Ｂを傷つけることなく作業することができる。
【符号の説明】
【００５７】
９９  特定天井
１    天井点検口
１０  外枠
１７  吊り下げスライド溝
２０  案内切り欠き
２１  ストッパ部
２２  バネ取付金具
２４  第一バネ力調整孔
３０  内枠
３６  孔付きブラケット
３７  第二バネ力調整孔
３８  ロック装置
４３  突出操作部
５０  安全バネ
６０  解除具
６３  解除押部
６５  受爪
６８  ロック押部
【図１】
0003202467.tif 000003
【図２】
0003202467.tif 000004
【図３】
0003202467.tif 000005
【図４】
0003202467.tif 000006
【図５】
0003202467.tif 000007
【図６】
0003202467.tif 000008
【図７】
0003202467.tif 000009
【図８】
0003202467.tif 000010
【図９】
0003202467.tif 000011
【図１０】
0003202467.tif 000012